(57)【要約】【課題】磁石の割れを防止するとともに、磁石の保持強度を高めることができる回転子部材を提供する。【解決手段】回転子部材３００は、円形の外周面３０４を有する筒状のスリーブ部３０１と、外周面３０４に沿って配置され、外周面３０４の曲率半径よりも大きな曲率半径を有する内周面３１７を含む複数の磁石３１１と、複数の磁石３１１を包囲する筒状の保持部材３２１とを備える。スリーブ部３０１の外周面３０４と磁石３１１の内周面３１７との間には、磁石３１１の周方向縁部３１１ｂに向かうにつれて大きくなるような径方向の隙間３３０が設けられている。【選択図】図４
2016096641.tif 000002
【特許請求の範囲】
【請求項１】
回転電機の回転軸部に固定される回転子部材であって、
円形の外周面を有する筒状のスリーブ部と、
前記外周面に沿って配置された複数の磁石であって、該複数の磁石の各々は、前記外周面の曲率半径よりも大きな曲率半径を有する内周面を含む、複数の磁石と、
前記複数の磁石を包囲する筒状の保持部材と、を備え、
前記スリーブ部の外周面と前記磁石の内周面との間には、前記磁石の周方向縁部に向かうにつれて大きくなるような径方向の隙間が設けられていることを特徴とする回転子部材。
【請求項２】
前記スリーブ部は、鉄系金属により構成されることを特徴とする請求項１に記載の回転子部材。
【請求項３】
前記スリーブ部の外周面のうちの少なくとも一部には、りん酸系、硫酸系、または塩酸系の化学的な表面処理が施されることを特徴とする請求項１または２に記載の回転子部材。
【請求項４】
前記磁石は、前記スリーブ部の外周面に接着されていないことを特徴とする請求項１〜３のいずれか１項に記載の回転子部材。
【請求項５】
回転軸部と、
前記回転軸部の外周面に圧入されて固定された請求項１〜４のいずれか１項に記載の回転子部材と、を備える回転子であって、
前記スリーブ部の外周面と前記磁石の内周面とは、前記回転軸部の圧入による前記スリーブ部の拡径により、前記隙間がなくなるように互いに接触しており、
前記スリーブ部および前記複数の磁石は、前記回転軸部の圧入により前記保持部材に生じた径方向内側へ向かう弾性復元力によって、前記回転軸部と前記保持部材との間で挟持されることを特徴とする回転子。
【請求項６】
前記スリーブ部の外周面と前記磁石の内周面とは、少なくとも一部の領域に亘って、接着剤によって互いに接着されていることを特徴とする請求項５に記載の回転子。
【請求項７】
前記接着剤は、ハイドロパーオキサイドを含有するアクリル系嫌気性接着剤であることを特徴とする請求項６に記載の回転子。
【請求項８】
前記磁石の内周面は、周方向全面にわたって前記スリーブ部の外周面に接触していることを特徴とする請求項５〜７のいずれか１項に記載の回転子。
【請求項９】
請求項５〜８のいずれか１項に記載の回転子を備えることを特徴とする電動機。
【請求項１０】
請求項９に記載の電動機を備えることを特徴とする工作機械。
【請求項１１】
請求項５〜８のいずれか１項に記載の回転子を製造する方法であって、
前記スリーブ部の外周面に沿って前記複数の磁石を配置し、
前記複数の磁石を包囲するように前記保持部材を配置し、
前記スリーブ部と前記磁石との間に接着剤を含浸し、
前記接着剤が硬化する前に、前記回転軸部の径方向外側に前記回転子部材を圧入し、
前記回転子部材を圧入するときには、前記回転軸部の圧入による前記スリーブ部の拡径により前記隙間がなくなるように前記スリーブ部の外周面と前記磁石の内周面とを互いに接触させ、前記回転軸部の圧入により前記保持部材に生じた径方向内側へ向かう弾性復元力によって、前記スリーブ部および前記複数の磁石を、前記回転軸部と前記保持部材との間で挟持させることを特徴とする回転子の製造方法。
【請求項１２】
前記回転子部材を圧入した後に、前記接着剤を硬化させることを特徴とする請求項１１に記載の回転子の製造方法。
【請求項１３】
前記接着剤は、ハイドロパーオキサイドを含有するアクリル系嫌気性接着剤であることを特徴とする請求項１１または１２に記載の回転子の製造方法。
【請求項１４】
前記保持部材は、炭素繊維を有し、
前記複数の磁石を包囲するように前記保持部材を配置する前に、前記複数の磁石が配置された前記スリーブ部を冷却することを特徴とする請求項１１〜１３のいずれか１項に記載の方法。
【発明の詳細な説明】
【技術分野】
【０００１】
本発明は、回転電機の回転子部材、回転子、回転子を備える電動機、電動機を備える工作機械、および回転子の製造方法に関する。
【背景技術】
【０００２】
永久磁石を回転子に使用した電動機を高速回転させる場合、永久磁石自体の強度と、永久磁石を固定する構造とに関して、高速回転時の遠心力に十分耐え得るように、何らかの補強を施す必要がある。この場合において、一般的には、例えば炭素繊維またはチタンからなるスリーブを被せるといった補強構造を設ける。例えば、特許文献１には、リング状の磁石を使用し、磁石の外周を炭素繊維強化プラスチック（ＣＦＲＰ）で補強した、高速回転用途の同期電動機が開示されている。
【先行技術文献】
【特許文献】
【０００３】
【特許文献１】特開平１１−８９１４２号公報
【発明の概要】
【発明が解決しようとする課題】
【０００４】
ところで、この種の電動機は、回転子部材に回転軸を圧入して構成される。したがって、回転軸を圧入する際の圧入代が大きいと、スリーブの径が拡大し、磁石が割れるおそれがある。一方、圧入代が小さいと、スリーブに対し磁石を十分な押圧力で保持することができず、高速回転時にスリーブに対する磁石の位置がずれるおそれがある。
【０００５】
特許文献１記載の電動機のように、磁石の周囲を炭素繊維強化プラスチックで包囲して磁石を保持する場合、炭素繊維強化プラスチックの張力の増加に伴い保持力は増加する。しかしながら、張力を大きくしすぎると、炭素繊維強化プラスチックの繊維のばらけ、繊維層の剥れ、割れ、破断等が生じるおそれがあり、張力を大きくするには限界がある。
【課題を解決するための手段】
【０００６】
本発明の一態様は、回転電機の回転軸部に固定される回転子部材であり、回転子部材は、円形の外周面を有する筒状のスリーブ部と、外周面に沿って配置された複数の磁石であって、複数の磁石の各々は、外周面の曲率半径よりも大きな曲率半径を有する内周面を含む複数の磁石と、複数の磁石を包囲する筒状の保持部材とを備え、スリーブ部の外周面と磁石の内周面との間には、磁石の周方向縁部に向かうにつれて大きくなるような径方向の隙間が設けられている。
【０００７】
本発明の他の態様は、回転軸部と、回転軸部の外周面に圧入されて固定された上記回転子部材とを備える回転子であり、スリーブ部の外周面と磁石の内周面とは、回転軸部の圧入によるスリーブ部の拡径により、隙間を埋めるように互いに接触しており、スリーブ部および複数の磁石は、回転軸部の圧入により保持部材に生じた径方向内側へ向かう弾性復元力によって、回転軸部と保持部材との間で挟持される。
【０００８】
本発明のさらに他の態様は、上記回転子を備える電動機である。
【０００９】
本発明のさらに他の態様は、上記電動機を備える工作機械である。
【００１０】
本発明のさらに他の態様は、上記回転子を製造する方法であって、スリーブ部の外周面に沿って複数の磁石を配置し、複数の磁石を包囲するように保持部材を配置し、スリーブ部と磁石との間に接着剤を含浸し、接着剤が硬化する前に、回転軸部の径方向外側に回転子部材を圧入し、回転子部材を圧入するときには、回転軸部の圧入によるスリーブ部の拡径により隙間を埋めるようにスリーブ部の外周面と磁石の内周面とを互いに接触させ、回転軸部の圧入により保持部材に生じた径方向内側へ向かう弾性復元力によって、スリーブ部および複数の磁石を、回転軸部と保持部材との間で挟持させる。
【発明の効果】
【００１１】
本発明によれば、筒状のスリーブ部の外周面と、その外周面に沿って配置される複数の磁石の内周面との間に、磁石の周方向縁部に向かうにつれて大きくなるような径方向の隙間を設けたので、回転軸部を圧入してスリーブ部が拡径した際の磁石の割れを防止することができ、スリーブ部に複数の磁石を強固に固定することができる。
【図面の簡単な説明】
【００１２】
【図１】本発明の一実施形態に係る電動機の断面図である。
【図２】図１に示す回転軸部の断面図である。
【図３】図１に示す回転子部材の断面図である。
【図４】図１に示す回転子部材を軸方向から見た外観図である。
【図５】図３に示すスリーブ部の断面図である。
【図６】図３に示す磁石のうちの１つの斜視図である。
【図７】図３に示す保持部材の斜視図である。
【図８】図４の要部拡大図である。
【図９】回転子部材を回転軸部に圧入する圧入工程を説明するための断面図である。
【図１０】圧入工程後の回転子を示す断面図である。
【図１１】完成状態の回転子を模式的に示す断面図である。
【図１２】（ａ）は回転軸部に圧入する前の状態の回転子部材の要部を、（ｂ）は回転軸部に圧入した後の回転子部材の要部をそれぞれ示す断面図である。
【図１３】図１の変形例を示す図である。
【発明を実施するための形態】
【００１３】
以下、本発明の実施の形態を図面に基づいて詳細に説明する。まず、図１を参照して、本発明の一実施形態に係る電動機（回転電機）の構成について説明する。図１は、本発明の一実施形態に係る電動機１００の断面図である。以下では、電動機１００の回転軸部の軸心Ｏ１に沿う方向を軸方向、軸心Ｏ１を中心とした円の周面に沿った方向を周方向、および軸心Ｏ１から放射状に延びる方向を径方向とそれぞれ定義する。また、図示のように電動機１００の一方側および他方側をそれぞれ軸方向前方および軸方向後方と定義する。なお、軸方向前方および軸方向後方は、理解の容易の観点から便宜的に定めたものであって、電動機の前方、後方等の特定の方向を限定して示すものではない。
【００１４】
本実施形態に係る電動機１００は、例えば工作機械の主軸を駆動するために用いられるビルトインモータである。ビルトインモータは、回転させる対象、すなわち主軸に直接組み付けて、主軸をダイレクトドライブすることを目的とする。このように工作機械の主軸駆動用の電動機をビルトインモータとすることで、主軸の加工精度を高めることができる。
【００１５】
図１に示すように、電動機１００は、内部空間１０１を画定するハウジング１０２と、ハウジング１０２の内部空間１０１に静止して配置される固定子１１０と、固定子１１０の径方向内側に回転可能に設置された回転子４００とを備える。回転子４００の表面には、複数の磁石３１１（図４参照）が取り付けられ、電動機１００は、表面磁石型電動機（ＳＰＭ型電動機である）である。固定子１１０は、固定子鉄心１０３と、固定子鉄心１０３に巻回されたコイル１０４とを有する。固定子鉄心１０３は、例えば電磁鋼板の薄板を積層して構成される。
【００１６】
固定子１１０からは、コイル１０４に電気的に接続された動力線（図示せず）が引き出されており、動力線は、ハウジング１０２に設けられた貫通孔を介して、電動機１００の外部に設置された動力源（図示せず）に接続される。電動機１００の動作時には、例えばコイル１０４に三相交流電流が供給され、回転子４００の周りに回転磁界が形成される。
【００１７】
回転子４００は、内部空間１０１において軸方向に延びる回転軸部２００と、回転軸部２００の径方向外側に固設される回転子部材３００とを有する。電動機１００は、回転子４００および固定子１１０の磁気的相互作用によって回転動力を発生し、回転軸部２００と回転子部材３００とが軸心Ｏ１を中心にして一体に回転する。
【００１８】
次に、図２を参照して、本発明の実施形態に係る回転軸部について説明する。図２は、本実施形態に係る回転軸部２００の断面図である。図２に示すように、回転軸部２００は、軸心Ｏ１と、軸心Ｏ１と同心の中心孔２０１とを有する、筒状の部材である。本実施形態では、工作機械の主軸にビルトインモータとして適用するため、回転軸部２００に中心孔２０１が形成されているが、これに限定されない。すなわち、回転軸部２００は、中心孔２０１を有さない中実材で作られてもよい。
【００１９】
回転軸部２００の軸心Ｏ１は、電動機１００の回転軸心である。回転軸部２００の軸方向前方側の部分は、ハウジング１０２の前方側の壁部に取り付けられた軸受（図示せず）を介して、ハウジング１０２に回転可能に支持される。同様に、回転軸部２００の軸方向後方側の部分は、ハウジング１０２の後方側の壁部に取り付けられた軸受（図示せず）を介して、ハウジング１０２に回転可能に支持される。
【００２０】
回転軸部２００は、軸方向後方側から軸方向前方側に向かうにつれて、徐々に径方向外側に向かって拡がるテーパ状の外周面２０２を有する。回転軸部２００の軸方向前方側の部分２０３および段差部２０４は、製造時の利便性のために設けられた突き当ての一例である。テーパ状外周面２０２は、軸方向後端２０５から、軸方向前端２０６まで連続して延びている。テーパ状外周面２０２の軸方向後端２０５の軸方向後方には、軸方向に沿って直線状に延びる円筒状の外周面２０７が形成されている。
【００２１】
なお、テーパ状外周面２０２は、線形のテーパ面、すなわち円錐面が好ましい。この場合、テーパ状外周面２０２の半径は、軸方向後端２０５から軸方向前端２０６に向かうにつれて、線形的に増加する。テーパ状外周面２０２は、例えば、１／２００〜１／３０のテーパ率を有する線形のテーパ面であることが好ましい。
【００２２】
突き当て用の部分２０３および段差部２０４は、製造時に組付け作業をし易くするための工夫の一例である。突き当て用の部分２０３は、軸方向に沿って延びる円筒状の外周面を有しており、テーパ状外周面２０２の軸方向前端２０６との間で段差部２０４を形成するように、テーパ状外周面２０２から径方向外側に突出するように形成されている。
【００２３】
次に、図３〜図７を参照して、本発明の実施形態に係る回転子部材について説明する。図３は、本実施形態に係る回転子部材３００の断面図であり、図４は、回転子部材３００を軸方向から見た外観図（図３の矢視IV図）である。図３，４に示すように、回転子部材３００は、筒状のスリーブ部３０１と、スリーブ部３０１の径方向外側において、周方向に並ぶように配置された複数の磁石３１１と、複数の磁石３１１の全体を径方向外側から覆う、保持部材３２１とを有する。
【００２４】
磁石３１１は、内径側が円弧状に形成された永久磁石であり、図４の例では、スリーブ部３０１の外周面３０４に沿って周方向等間隔に４個の磁石３１１を配置している。なお、図４に例示したのとは異なる数の磁石３１１を、周方向に配置してもよい。すなわち、周方向に対称に複数の磁石３１１を配置するのであれば、磁石３１１の個数は４個以外であってもよい。
【００２５】
磁石３１１は、製造の都合や磁石の成形の都合に応じて軸方向に複数に分割されてもよく、図３の例では、軸方向に２分割されている。なお、軸方向に３分割以上としてもよい。また、軸方向後方側に位置する磁石３１１の各々は、スリーブ部３０１に凸部３０５等の構造を設けることによって、軸方向の位置を揃えて配置される。磁石３１１には、例えば高い磁気エネルギーを有するネオジム磁石を用いることができる。これによりコンパクトでかつ高出力な電動機を構成することができ、工作機械の主軸に用いて好適である。
【００２６】
図５は、スリーブ部３０１の断面図である。図５に示すように、スリーブ部３０１は、中心軸線Ｏ２を有する筒状の部材であって、軸方向後方側の第１端部３０２と、軸方向前方側の第２端部３０３と、軸方向に沿って延びる円筒状の外周面３０４とを有する。スリーブ部３０１の軸方向後端の、外周面３０４から径方向外側に突出する凸部３０５は、製造時に磁石３１１の軸方向の位置を揃え易くするための工夫の一例である。
【００２７】
スリーブ部３０１は、鉄系金属、例えばＳ４５Ｃ、ＳＴＫＭ、ＳＳ４００などの磁性体の金属材料から構成される。スリーブ部３０１の外周面３０４には、りん酸系、硫酸系、または塩酸系の化学的な表面処理が施されている。これにより、外周面３０１の摩擦係数が大きくなり、外周面３０４に磁石３１１を容易に保持することができる。また、外周面３０４に化学的表面処理を施すことにより、後述するように外周面３０４に接着剤を含浸した際に、接着剤の硬化反応が促進される。また、接着力自体も高まる。回転軸部２００を挿入する前の回転子部材３００の単体の状態では、スリーブ部３０１の外周面３０４に磁石３１１は接着されていない。
【００２８】
本実施形態においては、スリーブ部３０１は、第１端部３０２から第２端部３０３に向かうにつれて連続的に径方向外側に向かって拡がるテーパ状内周面３０６（すなわち、テーパ面）を有する。このテーパ状内周面３０６は、第１端部３０２から第２端部３０３までのうち、少なくとも外周に磁石３１１が搭載される軸方向区間（磁石搭載区間）において連続して延びている。すなわち、テーパ状内周面３０６は、スリーブ部３０１の内周面の磁石搭載区間に形成された、連続で一定のテーパ率からなるテーパ面であり、軸方向前方に向かうにつれてその半径が大きくなっている。
【００２９】
テーパ状内周面３０６は、テーパ率が一定である線形のテーパ面である。テーパ状内周面３０６の半径は、第１端部３０２におけるテーパ状内周面３０６の半径Ｒ３から、第２端部３０３におけるテーパ状内周面３０６の半径Ｒ４（＞Ｒ３）まで、第１端部３０２から第２端部３０３に向かうにつれて、線形的に径は拡大していく。テーパ状内周面３０６のテーパ率は、例えば、１／２００〜１／３０の範囲に設定することが好ましい。
【００３０】
ここで、テーパ状内周面３０６のテーパの度合いは、回転軸部２００のテーパ状外周面２０２のテーパの度合いに対応するように、設定される。より具体的には、回転軸部２００のテーパ状外周面２０２、およびスリーブ部３０１のテーパ状内周面３０６が、ともに線形テーパ面であるとすると、テーパ状外周面２０２と、テーパ状内周面３０６とは、同一または略同一のテーパ率（例えば１／１００）を有するように、設定される。
【００３１】
スリーブ部３０１は、図１に示す電動機１００の組み立て状態においては、回転軸部２００の中心軸線Ｏ１と、スリーブ部３０１の中心軸線Ｏ２とが一致するように、回転軸部２００のテーパ状外周面２０２上に、締り嵌めによって固定される。この状態においては、スリーブ部３０１の第２端部３０３と段差部２０４とが当接し、第２端部３０３におけるテーパ状内周面３０６の半径Ｒ４と、テーパ状外周面２０２の軸方向前端２０６の半径とが、同一または略同一となる。
【００３２】
また、この状態においては、スリーブ部３０１のテーパ状内周面３０６と、回転軸部２００のテーパ状外周面２０２とは、互いに大きな面圧で密着しており、スリーブ部３０１は、回転軸部２００によって、径方向外側に向かって押圧されている。なお、スリーブ部３０１の回転軸部２００に対する取り付け構造については、後述する。
【００３３】
図６は、単一の磁石３１１の斜視図である。図６に示すように、磁石３１１は、予め定められた曲率半径の内径を有する略円弧状の磁石片である。具体的には、磁石３１１は、軸方向前方側の端面３１２、および軸方向後方側の端面３１３と、周方向一方側の端面３１４、および周方向他方側の端面３１５と、径方向内側の内周面３１６、および径方向外側の外周面３１７とを有する。磁石３１１の内周面３１６は、円弧状（曲率が一定）である一方、外周面３１７は、円弧状または円弧状以外の任意の曲面、平面、または曲面と平面の組み合わせである。
【００３４】
図６の例では、実施形態の一例として端面３１２、端面３１３、端面３１４、端面３１５が明確に描かれているが、磁気回路設計や電動機の仕様などの都合により、これらの端面は曲面であったり、テーパ面や曲面で挟まれる極小面であったりするため、実際にはこれらの端面は明確に存在するとは限らない。また、それぞれの面を形成する辺は、実際には面取りが施され、または曲面でなだらかに落とされており、明確な線で画定されるとは限らない。
【００３５】
内周面３１６は、予め定められた曲率半径を有する円弧面であって、端面３１２を形成する径方向内側の一辺と、端面３１３の径方向内側を形成する一辺とを接続するように、軸方向に沿って延びている。外周面３１７は、周方向に滑らかな曲線で構成され、例えば円弧面であってもよいし、他の任意の曲面であってもよい。内周面３１６の曲率半径は、後述するようにスリーブ部３０１の外周面３０４の曲率半径との関係で定められる。
【００３６】
図７は、保持部材３２１の斜視図である。図７に示すように、保持部材３２１は、軸方向に延びる筒状の部材であり、複数の磁石３１１を包囲して磁石３１１を保持する機能を有する。具体的には、保持部材３２１は、軸方向前方側の端面３２２、および軸方向後方側の端面３２３と、筒状の内周面３２４および外周面３２５とを有する。図７の例では、実施形態の一例として端面３２２と端面３２３が明確に描かれているが、保持部材の材料や構造、製造方法によっては、これらの端面は明確に存在するとは限らない。また、内周面３２４および外周面３２５の断面形状は、円に限定されない。
【００３７】
保持部材３２１は、径方向外側に向かって膨張するような変形に対して、強い強度を有する。換言すれば、保持部材３２１は、その半径（直径）が変化し難い。また、保持部材３２１は、磁束による発熱や、磁束の漏れによる性能低下を防止する観点から、非磁性材料から作製されることが好ましい。さらに、保持部材３２１は、回転によって生じる遠心力を小さくするために、小さい密度を有することが好ましい。保持部材３２１は、例えば筒状の成形体によって構成される。なお、複数の磁石３１１の外周面３１７に、保持部材３２１を構成する材料を巻き付けて、保持部材３２１を形成してもよい。例えば、糸状や帯状、シート状の材料を、磁石３１１の外周面３１７に各々の磁石３１１を覆うように、複数回所定の厚さになるまで回転方向に周回しつつ巻きつけて形成してもよい。
【００３８】
保持部材３２１の材料としては、例えば炭素繊維、ガラス繊維、アラミド繊維、炭化ケイ素繊維、ボロン繊維、チタン合金繊維、超高分子量ポリエチレン、またはポリブチレンテレフタレート繊維といった、比強度（単位密度当りの引張強度）に優れた材料が好適である。また、保持部材３２１の材料として、炭素繊維、ガラス繊維、アラミド繊維、炭化ケイ素繊維、ボロン繊維、チタン合金繊維、超高分子量ポリエチレン、またはポリブチレンテレフタレート繊維を使用したＦＲＰ（繊維強化樹脂）、もしくは、これらの幾つかを組み合わせた複合材も好適である。また、保持部材３２１の材料として、オーステナイト系のステンレスやチタン、またはチタン合金等の非磁性金属を用いてもよい。
【００３９】
複数の磁石３１１の径方向外側には、全ての磁石３１１を径方向外側から包囲するように、保持部材３２１が嵌着され、図１に示す電動機１００の組み立て状態においては、スリーブ部３０１は、回転軸部２００によって、径方向外側に向かって押圧されている。この押圧により、スリーブ部３０１は、径方向外側に変形しようとし、磁石３１１の各々を、径方向外側に向かって押す。
【００４０】
これに対して、保持部材３２１は、上述したように、径方向外側に向かって膨張するような変形に対して強い強度を有する。したがって、磁石３１１から加えられる圧力を受け止め、その反力として、磁石３１１を径方向内側に向けて押し返す。
【００４１】
この構成により、磁石３１１は、スリーブ部３０１と保持部材３２１との間で、強固に挟持される。これにより、電動機１００の駆動時に、回転子部材３００が高速で回転した場合においても、磁石３１１が、スリーブ部３０１および保持部材３２１に対して周方向に相対移動してしまうことを防止することができる。
【００４２】
この場合、電動機１００の動作可能な回転数の全範囲において、スリーブ部３０１と回転軸部２００との間の固定トルク、および、磁石３１１とスリーブ部３０１との間の固定トルクが、電動機１００の最大トルクを上回るように、保持部材３２１の締め代が設定される。これにより、回転軸部２００とスリーブ部３０１との間の固定トルク、およびスリーブ部３０１と磁石３１１との間の固定トルクが、電動機１００の回転数に拘わらず常に電動機１００の最大トルク２０を上回る。したがって、電動機１００の駆動時に、回転軸部２００とスリーブ部３０１との間、および、スリーブ部３０１と磁石３１１との間で、位置ずれが生じることを防止できる。
【００４３】
本実施形態では、磁石３１１の内周面３１６の半径が、スリーブ部３０１の外周面３０４の半径よりも大きくなるように設定されている。すなわち、図４の要部拡大図である図８に示すように、磁石３１１の内周面３１６の曲率半径をＲ７とし、スリーブ部３０１の外周面３０４の半径をＲ８とすると、Ｒ７＞Ｒ８となる。
【００４４】
この構成により、回転子部材３００を組み立てた状態において、磁石３１１の内周面３１６と、スリーブ部３０１の外周面３０４との間に隙間３３０が形成される。この隙間３３０は、磁石３１１の内周面３１６の曲率半径Ｒ７と、スリーブ部３０１の外周面３０４の半径Ｒ８との間の半径の差に起因して形成される隙間であって、回転軸部２００を圧入した際のスリーブ部３０１の膨張を考慮して、適宜設定される。
【００４５】
隙間３３０は、スリーブ部３０１と磁石３１１とが接触する磁石３１１の接触部３１１ａから周方向縁部３１１ｂにかけて徐々に大きくなり、周方向縁部３１１ｂにおいて最大となる。なお、図８の例では、磁石３１１の周方向中心部において、磁石３１１の内周面３１６とスリーブ部３０１の外周面３０４とが接触している。すなわち、周方向中心部が接触部３１１ａとなり、周方向中心部で隙間３３０が０となっているが、中心部以外（例えば一方の周縁部３１１ｂ）でスリーブ部３０１と磁石３１１とが接触することもある。この場合には、一方の周縁部３１１ｂが接触部３１１ａとなり、この場合においても、磁石３１１の接触部３１１ａから周方向周縁部（他方の周縁部３１１ｂ）にかけて隙間３３０が徐々に大きくなる。
【００４６】
このように磁石３１１の内周面３１６とスリーブ部３０１の外周面３０４との間に径方向の隙間３３０を設けることで、回転子部材３００（スリーブ部３０１）の内周面３０６に沿って回転軸部２００を圧入する際に、磁石３１１が割れることを防ぐことができる。
【００４７】
すなわち、回転子部材３００を回転軸部２００に圧入すると、回転子部材３００のスリーブ部３０１が隙間３３０をなくすように径方向外側に膨張（拡径）し、その結果、スリーブ部３０１の外周面３０４と、磁石３１１の径方向内側の内周面３１６とが面接触する。したがって、スリーブ部３０１が拡径した際に、磁石３１１に発生する応力を低減することができ、磁石３１１の割れを防止することができる。
【００４８】
次に、本発明の実施形態に係る回転子４００の製造方法について説明する。まず、スリーブ部３０１、磁石３１１および保持部材３２１を準備する。スリーブ部３０１は、例えば鉄系金属を構成材とし、円筒状部材の内周面および外周面を切削加工して、テーパ状内周面３０６、外周面３０４を形成するとともに、凸部３０５を形成し、さらに外周面３０４に、りん酸系、硫酸系、または塩酸系の化学的な表面処理を施すことにより得られる。磁石３１１は、例えば内周面３１６が所定の曲率半径Ｒ７である略円弧形状として永久磁石を構成することにより得られる。保持部材３２１は、例えば筒状に成形された炭素繊維強化樹脂により得られる。
【００４９】
次に、スリーブ部３０１の外周面３０４に沿って複数の磁石３１１を等間隔に配置する。この場合、周方向に隣り合う磁石３１１の内周面側および外周面側の磁極が互いに異なる磁極となるように、磁石３１１を配置する。例えば周方向に４個の磁石３１１Ａ〜３１１Ｄを配置する場合に、磁石３１１Ａと３１１Ｂ、３１１Ｂと３１１Ｃ、３１１Ｃと３１１Ｄ、３１１Ｄと３１１Ａがそれぞれ互いに隣り合って配置される。このとき、磁石３１１Ａと３１１Ｃの内周側がＳ極、外周側がＮ極となり、磁石３１１Ｂと３１１Ｄの内周側がＮ極、外周側がＳ極となるように磁石３１１Ａ〜３１１Ｄを配置する。
【００５０】
すなわち、本実施形態においては、スリーブ部３０１の外周面３０４に対向して周方向に配列する磁石３１１Ａ〜３１１Ｄは、それぞれの磁極が周方向において交互に入れ替わるように、配置される。
【００５１】
次に、互いに対向するスリーブ部３０１と複数の磁石３１１との間に接着材を含浸した後、複数の磁石３１１を径方向外側から覆うように保持部材３２１を取り付ける。すなわち、磁石３１１の外周面３１７に保持部材３２１の内周面３２４が向き合うように、保持部材３２１を磁石３１１の径方向外側に嵌め入れる。この時点では、両者は隙間嵌めでも多少の締まり嵌めでも構わない。締まり嵌めの場合には、保持部材３２１が抜けない程度の僅かな締め代で十分である。
【００５２】
保持部材３２１の嵌合を容易に行うために、磁石３１１の周囲に保持部材３２１を配置する前に、磁石３１１が配置されたスリーブ部３０１を冷却することが好ましい。例えば磁石３１１とスリーブ部３０１とを、工業用冷蔵庫などで所定温度以下（例えば−５０℃以下、好ましくは−７０℃以下）まで冷却する。これにより、磁石３１１が配置されたスリーブ部３０１の最外径（軸心Ｏ１を中心とした磁石３１１の外周面３１７の径）が減少し、磁石３１１の周囲に保持部材３２１を容易に嵌合することができる。特に、保持部材３２１を線膨張係数が小さい炭素繊維により構成する場合、保持部材３２１を焼き嵌めすることが困難であるため、磁石３１１が配置されたスリーブ部３０１を冷却することが好ましい。
【００５３】
接着剤は、スリーブ部３０１の外周面３０４と磁石３１１の内周面３１６との間の全範囲にわたって、または少なくとも一部の領域に含浸される。磁石３１１の周囲を保持部材３２１で包囲する前ではなく、保持部材３２１で包囲した後に、接着剤を含浸するようにしてもよい。スリーブ部３０１の外周面３０４に沿って磁石３１１を配置する際に、スリーブ部３０１の外周面３０４および磁石３１１の内周面３１６の少なくとも一方に接着剤を塗布してもよい。
【００５４】
ここで用いられる接着剤は、例えばハイドロパーオキサイドを含有するアクリル系嫌気性接着剤である。アクリル系の接着剤は、一般に流動性や接着対象物に対する濡れ性の観点から好ましく、スリーブ部３０１と磁石３１１との間の曲率の違いによって設けられた隙間３３０へ、容易に浸潤させることができる。また、アクリル系の嫌気性接着剤は、エポキシ系の接着剤のような加熱硬化型接着剤とは異なり、加熱による硬化促進が不要であるため、作業性がよく、磁石３１１の熱減磁も考慮する必要がないため、好適である。
【００５５】
嫌気性接着剤は、一般的に（メタ）アクリル酸が主成分である。（メタ）アクリル酸は、例えば多官能メタクリル酸エステルを指し、具体的にはポリグリコールジメタクリレートである。ポリグリコールの部分は、ポリエステルやポリカーボネート等、種々のセグメントに置換してもよい。
【００５６】
ハイドロパーオキサイドは、例えばクメンヒドロパーオキサイドである。ハイドロパーオキサイドは、金属イオンの存在下で還元され重合反応を開始する。すなわち、硬化反応を開始する。本実施形態では、スリーブ部３０１を鉄系金属により構成するとともに、スリーブ部３０１の表面に化学的表面処理を施しているので、金属イオンの存在と、接着剤と金属との接触面積の増大によって、硬化反応が速やかに進行する。その結果、嫌気性が不十分な部分においても速やかに硬化反応が進行し、磁石３１１を強固に接着することができる。
【００５７】
次に、図２に示したような回転軸部２００を準備する。例えば、円筒状の棒部材の外周面を切削加工し、テーパ状外周面２０２を形成する。さらに、その前後の部分には、円筒状の外周面２０７、および突き当て用部分２０３を必要に応じて設けてもよい。
【００５８】
次に、接着剤が硬化する前に、回転子部材３００を、回転軸部２００の軸方向後方側から嵌め入れる。すなわち、回転軸部２００の径方向外側に回転子部材３００を圧入する。この圧入工程について具体的に説明する。図９，１０は、圧入工程を説明する図である。図９に示すように、まず、回転子部材３００のスリーブ部３０１を、第２端部３０３側から回転軸部２００の軸方向後端に嵌め入れる。
【００５９】
そして、回転軸部２００を、例えば回転軸部２００の軸方向第２の側（前方側）の端面（図示せず）を軸方向第１の側（後方側）に向って保持し、回転子部材３００のスリーブ部３０１の端部３０２を保持方向に対し、軸方向反対向きに押す。即ち、回転子部材３００を、図９の矢印Ｅに示すように、軸方向前方に向けて押し入れる。
【００６０】
これにより、スリーブ部３０１のテーパ状内周面３０６の軸方向前端と、回転軸部２００のテーパ状外周面２０２とが、当接部Ｐにて当接する。この状態から、回転子部材３００を、回転軸部２００に対して、軸方向前方側に向けてさらに圧入する。具体的には、スリーブ部３０１の第２端部３０３が、所定の位置、例えば図の例では、突き当て用の部分２０３の段差部２０４と当接するまで、回転子部材３００を軸方向前方側に向けて圧入する。
【００６１】
このとき、スリーブ部３０１は、当接部Ｐから段差部２０４までテーパ面に沿って軸方向前方に移動し、径方向外側に向かって膨張する。すなわち、この状態においては、回転子部材３００は、回転軸部２００に締り嵌めによって固定される。なお、この状態において、スリーブ部３０１は、弾性変形領域を超えて変形してもよい。
【００６２】
スリーブ部３０１が所定の固定位置まで圧入する間に、スリーブ部３０１を圧入する力によって、スリーブ部３０１は、径方向外側に膨張し、それに伴って磁石３１１も径方向外側に移動する。その結果、保持部材３２１も外側に向って力を受けることになり、径方向外側に向って保持部材３２１も膨張する。これにより、保持部材３２１に弾性圧縮力が蓄えられ、この弾性圧縮力によって、回転軸部２００のテーパ状外周面２０２と保持部材３２１との間で、磁石３１１およびスリーブ部３０１が挟持され、その際の各々の接触面間に発生する圧力（面圧）によって、磁石３１１とスリーブ部３０１の外周面３０４との周方向の固定と、スリーブ部３０１の内周面３０６と回転軸部２００のテーパ状外周面２０２との固定が、完成する。以上により、図１０に示す回転子４００が製造される。図１１は、完成状態の回転子４００を模式的に示す断面図である。
【００６３】
本実施形態では、周方向に並ぶ磁石３１１を採用しており、かつ、磁石３１１の内周面３１６の曲率半径Ｒ７は、スリーブ部３０１の外周面３０４の半径Ｒ８よりも大きい（図８）。これにより、回転子４００を製造する工程において、磁石が割れてしまうのを防ぐことができる。この点を、図１２を参照して説明する。なお、図１２（ａ）は、回転軸部２００に圧入する前の状態の回転子部材３００を示しており、図８に対応する。一方、図１２（ｂ）は、回転軸部２００に圧入した後の状態の回転子部材３００を示しており、図１１に対応する。なお、図１１の磁石３１１の形状は、図１２の磁石３１１の形状とは異なる。
【００６４】
図１２（ａ）に示すように、回転子部材３００を回転軸部２００に圧入する前の状態においては、磁石３１１の内周面３１６と、スリーブ部３０１の外周面３０４との間に、隙間３３０が設けられている。この状態から、回転軸部２００を回転子部材３００に圧入すると、図１２（ｂ）に示すように、スリーブ部３０１が径方向外側に膨張して隙間３３０がなくなり、スリーブ部３０１の外周面３０４と磁石３１１の径方向内側の内周面３１６とが面接触する。これによりスリーブ部３０１から磁石３１１に過度な力が作用することを防止することができ、磁石３１１の割れを防ぐことができる。
【００６５】
圧入工程は、接着剤が硬化する前に行われる。このため、スリーブ部３０１と磁石３１１との間の隙間３３０の余分な接着剤が、スリーブ部３０１が拡径した際に周方向外側または軸方向外側に押し出され、磁石３１１の割れを防止することができる。これに対し、接着剤が硬化した後に圧入工程を行うと、スリーブ部３０１が拡径した際に、そのスリープ部３０１の変形に磁石３１１の変形が追従できず、磁石３１１が割れるおそれがある。
【００６６】
回転子４００を高速回転させると、磁石３１１に作用する遠心力が増大するため、磁石３１１の保持力を高める必要がある。磁石３１１の保持力は、保持部材３２１が発生する圧縮保持力を増大させることにより高めることができる。圧縮保持力は、例えば、保持部材３２１の径方向厚さを厚くする（第１の方法）、あるいは、より弾性係数の高い繊維を保持部材３２１の材料に用いる（第２の方法）、あるいは、スリーブ部３０１と回転軸部２００との間の圧入代をより大きくして、保持部材３２１の拡径量を増大する（第３の方法）ことにより高めることができる。
【００６７】
しかしながら、磁石３１１と固定子鉄心１０３との距離（ギャップ）を、所定量以上広げることは困難であるため、第１の方法には限界がある。第２の方法は、材料選択の範囲が著しく制限される。第３の方法では、保持部材３２１の拡径量を大きくしすぎると、保持部材３２１の剥れ、割れ、破断等の問題が生じる。よって、磁石３１１の保持力を高めるためには、本実施形態のように、スリーブ部３０１の外周面３０４の曲率半径を磁石３１１の内周面３１６の曲率半径よりも小さくして、スリーブ部３０１が拡径した際に、磁石３１１の全面がスリーブ部３０１に接触するように構成するだけでなく、スリーブ部３０１の外周面３０４と磁石３１１の内周面３１６との間に接着剤を含浸し、接着剤を介して磁石３１１を固定することが好ましい。
【００６８】
本実施形態によれば、以下のような作用効果を奏することができる。
（１）回転子部材３００は、円形の外周面３０４を有する筒状のスリーブ部３０１と、外周面３０４に沿って配置され、外周面３０４の曲率半径Ｒ８よりも大きな曲率半径Ｒ７を有する内周面３１７を含む複数の磁石３１１と、複数の磁石３１１を包囲する筒状の保持部材３２１とを備える。スリーブ部３０１の外周面３０４と磁石３１１の内周面３１７との間には、スリーブ部３０１と磁石３１１とが接触する磁石３１１の接触部３１１ａから磁石３１１の周方向縁部３１１ｂに向かうにつれて大きくなるような径方向の隙間３３０が設けられている。
【００６９】
これにより、回転子部材３００に回転軸部２００を圧入してスリーブ部３０１が拡径した際の磁石３１１の割れを防止することができ、スリーブ部３０１と保持部材３２１との間に複数の磁石３１１を強固に保持することができる。また、スリーブ部３０１の周囲には、円筒状の磁石ではなく、内周面が円弧形状の複数の磁石３１１を配置するので、回転子部材３００と回転軸部２００との間の締め代が大きくスリーブ部３０１の拡径量が大きい場合であっても、磁石３１１の割れを防ぐことができる。スリーブ部３０１の拡径時にスリーブ部３０１と磁石３１１とが全面で接触し、磁石３１１に対しスリーブ部３０１と保持部材３２１から押圧力が作用するので、磁石３１１に対する保持力が高まる。したがって、より重い磁石３１１を保持することができ、磁石３１１の径方向厚さを厚くすることができる。その結果、電動機１００のトルクおよび出力を向上できる。
【００７０】
（２）スリーブ部３０１を鉄系金属により構成するので、スリーブ部３０１の加工が容易となり、製造コストを抑えることができる。また、スリーブ部３０１の内周面と外周面を円形状に構成するので、スリーブ部３０１の径方向厚さが周方向全周にわたって一定となり、回転軸部２００の圧入時に、スリーブ部３０１を周方向均一に膨張させることができ、スリーブ部３０１と磁石３１１とを周方向均一に接触させることができる。その結果、スリーブ部３０１と回転軸部２００との間の摩擦力が増大し、回転子４００の回転時におけるスリーブ部３０１に対する磁石３１１の周方向の滑りを防止できる。
【００７１】
（３）スリーブ部３０１の外周面３０４のうちの少なくとも一部に、りん酸系、硫酸系、または塩酸系の化学的な表面処理を施すので、外周面３０４の摩擦係数が大きくなり、磁石３１１をスリーブ部３０１に強固に固定することができる。また、化学的表面処理を施すことにより、磁石３１１の固定面に嫌気性接着剤を使用する場合に、その硬化反応を促進することができる。また、化学的表面処理によって、接着力そのものを高めることができる。
【００７２】
（４）回転子部材３００の段階では、磁石３１１はスリーブ部３０１の外周面３０４に接着されていないので、磁石３１１の内周面全体がスリーブ部３０１の外周面３０４に接触するまで、磁石３１１がスリーブ部３０１に対し相対変位することができ、磁石３１１の割れを防止することができる。
【００７３】
（５）回転子４００は、回転軸部２００と、回転軸部２００の外周面２０２に圧入されて固定された回転子部材３００とを備える。スリーブ部３０１の外周面３０４と磁石３１１の内周面３１６とは、回転軸部２００の圧入によるスリーブ部３０１の拡径により、隙間３０３がなくなるように互いに接触し、スリーブ部３０１および複数の磁石３１１は、回転軸部２００の圧入により保持部材３２１に生じた径方向内側へ向かう弾性復元力によって、回転軸部２００と保持部材３２１との間で挟持される。したがって、回転軸部２００を回転子部材３００に圧入することにより、磁石３１１を割らずに強固に保持することができ、回転子４００の信頼性が高まる。回転子４００の回転方向における磁石３１１の保持力が高まるため、回転子４００の最高回転数を増大させることができ、電動機１００の出力を増大できる。
【００７４】
（６）回転子４００が完成した状態では、スリーブ部３０１の外周面３０４と磁石３１１の内周面３１６とが、少なくとも一部の領域にわたって接着剤によって互いに接着されている。このため、保持部材３２１の弾性復元力を過度に高める必要がなく、保持部材３２１が炭素繊維を含む場合に、繊維のばらけ、繊維層の剥れ、割れ、破断等を防ぎつつ、磁石３１１をスリーブ部３０４に強固に固定することができる。
【００７５】
（７）接着剤として、ハイドロパーオキサイドを含有するアクリル系嫌気性接着剤を用いることにより、速やかに接着剤の硬化反応が進み、磁石３１１の接着をより確実に行うことができる。
【００７６】
（８）回転子４００が完成した状態において、磁石３１１の内周面３１６は、周方向全面にわたってスリーブ部３０１の外周面３０４に接触している。したがって、磁石３１１の保持力を高めることができるとともに、磁石３１１とスリーブ部３０１との接触部における応力集中が緩和され、磁石３１１の割れを防ぐことができる。
【００７７】
（９）回転子４００により電動機、とくに工作機械用の電動機を構成する場合には、磁石３１１の高い保持力が要求されるため、特に好適である。すなわち、工作機械の主軸には、切削時に発生する回転方向の衝撃（速度変動）によって、磁石が回転方向に滑る可能性が高まる。このため、回転子を工作機械用電動機に用いる場合には、回転子の回転方向における磁石の固定をより確実に行う必要があり、この点で本実施形態の回転子は好適に用いることができる。
【００７８】
（１０）回転子４００を製造する方法として、スリーブ部３０１の外周面３０４に沿って複数の磁石３１１を配置し、複数の磁石３１１を包囲するように保持部材３２１を配置し、スリーブ部３０１と磁石３１１との間に接着剤を含浸し、接着剤が硬化する前に、回転軸部２００の径方向外側に回転子部材３００を圧入し、回転子部材３００を圧入するときには、回転軸部２００の圧入によるスリーブ部３０１の拡径により隙間３３０がなくなるようにスリーブ部３０１の外周面３０４と磁石３１１の内周面３１６とを互いに接触させ、回転軸部２００の圧入により保持部材３２１に生じた径方向内側へ向かう弾性復元力によって、スリーブ部３０１および複数の磁石３１１を、回転軸部２００と保持部材３２１との間で挟持させる。
【００７９】
これにより接着剤が硬化する前に、スリーブ部３０１を締り嵌めによって拡径させることができ、磁石３１１の割れを防止しつつ、回転軸部２００と回転子部材３００とを互いに面接触させて一体化することができる。特に、ビルトインモータは、回転子部材３００の状態で購入者に売買される。このため、回転子部材３００の段階で磁石３１１をスリーブ部３０１に接着してしまうと、その後、モータの購入者がその回転子部材３００に回転軸部２００を圧入する際に、スリーブ部３０１の膨張に伴い磁石３１１の内周面が周方向に引っ張られ、磁石３１１が割れるおそれがある。この点、本実施形態では、接着剤が硬化する前に回転軸部２００を圧入するため、磁石３１１の割れを防止することができる。
【００８０】
（１１）回転子部材３００を圧入した後に、接着剤を硬化させるので、回転子４００が完成した状態で、磁石３１１をスリーブ部３０１に強固に固定することができ、磁石３１１の滑りを確実に防止することができる。
【００８１】
（１２）保持部材３２１が炭素繊維を有する場合、複数の磁石３１１を包囲するように保持部材３２１を配置する前に、複数の磁石３１１が配置されたスリーブ部３０１を冷却することにより、焼き嵌めを利用することなく、磁石３１１の外周面３１７に保持部材３２１を容易に嵌合することができる。
【００８２】
なお、上記実施形態では、磁石３１１とスリーブ部３０１とを接着剤により固定したが、回転子４００の回転数に対し磁石３１１の十分な保持力を得ることができるのであれば、接着剤を省略してもよい。すなわち、筒状のスリーブ部３０１の外周面３０４と、その外周面３０４に沿って配置される複数の磁石３１１の内周面３１６との間に、磁石３１１の周方向縁部３１１ｂに向かうにつれて大きくなるような径方向の隙間３３０を形成するのであれば、接着剤は必須ではない。
【００８３】
上記実施形態では、複数の磁石３１１の周囲を保持部材３２１で覆うようにしたが、保持部材３２１の周囲に別の筒状の部材を配置するようにしてもよい。これにより、保持部材３２１の端部の接合箇所を、回転子４００の回転時の風圧による剥れから保護することができ、回転子４００の寿命を延ばすことができる。
【００８４】
上記実施形態では、回転軸部２００の外周面２０２とスリーブ部３０１の内周面３０６とにそれぞれテーパ面を形成し、これらテーパ面を介して両者を圧入するようにしたが、圧入面（外周面２０２と内周面３０６）の構成はこれに限らない。図１３は、図１の変形例を示す図である。図１３では、スリーブ部３０１の内周面３０６および回転軸部２００の外周面２０２はそれぞれテーパ面ではなく、軸心Ｏ１を中心とした円筒面であり、スリーブ部３０１と回転軸部２００とは締り嵌めにより一体に固定されている。
【００８５】
より具体的には、スリーブ部３０１の凸部３０５には、回転子４００の外部空間３０７と、スリーブ部３０１の内周面３０６と回転軸部２００の外周面２０２との間の圧入面とを連通する流体通路３０８が、周方向等間隔に複数形成されている。流体通路３０８には、外部空間３０７に面してねじ穴３０８ａが形成されている。スリーブ部３０１の軸方向両端部にはそれぞれ環状溝が形成され、環状溝には、Ｏリングなどの封止部材３０９が嵌合されている。
【００８６】
図１３において、回転子部材３００を回転軸部２００に圧入する際には、ねじ穴３０８ａに油供給用のノズルを差し込み、周方向複数の流体通路３０８を介して、内周面３０６と外周面２０２との間に油を供給する。この供給された油の圧力により、スリーブ部３０１の径が拡大し、回転子部材３００を回転軸部２００の外周面２０２に容易に嵌合することができる。このとき、少なくとも１つの流体通路３０８が空気の抜け穴として機能する。供給された油は、封止部材３０９により封止されるため、外部空間３０７への油の漏出を防止できる。油は潤滑性を高める機能を有し、回転軸部２００を軸方向所定位置まで容易に摺動できる。
【００８７】
なお、上記実施形態では、回転子部材３００および回転子４００を工作機械の主軸駆動用の電動機に適用する例を示したが、本発明の回転子部材および回転子は、工作機械の電動機だけでなく、他の電動機（回転電機）にも同様に適用することができる。
【００８８】
以上の説明はあくまで一例であり、本発明の特徴を損なわない限り、上述した実施形態および変形例により本発明が限定されるものではない。上記実施形態および変形例の構成要素には、発明の同一性を維持しつつ置換可能かつ置換自明なものが含まれる。すなわち、本発明の技術的思想の範囲内で考えられる他の形態についても、本発明の範囲内に含まれる。また、上記実施形態と変形例の１つまたは複数を任意に組み合わせることも可能である。
【符号の説明】
【００８９】
１００    電動機
２００    回転軸部
３００    回転子部材
３０１    スリーブ部
３０４    外周面
３１１    磁石
３１１ｂ    周方向縁部
３１７    内周面
３２１    保持部材
３３０    隙間
【図１】
2016096641.tif 000003
【図２】
2016096641.tif 000004
【図３】
2016096641.tif 000005
【図４】
2016096641.tif 000006
【図５】
2016096641.tif 000007
【図６】
2016096641.tif 000008
【図７】
2016096641.tif 000009
【図８】
2016096641.tif 000010
【図９】
2016096641.tif 000011
【図１０】
2016096641.tif 000012
【図１１】
2016096641.tif 000013
【図１２】
2016096641.tif 000014
【図１３】
2016096641.tif 000015